(57)【要約】      （修正有）【課題】異物が接触しても隠された像が現れることを防止でき、コインで擦った際に隠された像を現すことができるコインスクラッチラベルを提供する。【解決手段】コインスクラッチラベルは、下フィルム２と、下フィルム２に重ねられた上フィルム３と、を有し、下フィルム２の上面または上フィルム３の下面の少なくともいずれか一方に、所望の像を象った凸部５が突設されており、上フィルム３が、非透明であり、上フィルム３の上面側が、硬貨の硬度と同等または硬貨の硬度よりも高い微粒子を含有し且つ耐スクラッチ性を有する。【選択図】図２
2008298931.tif 000002
【特許請求の範囲】
【請求項１】
下フィルムと、下フィルムの上面に重ねられた上フィルムと、を有し、
下フィルムの上面または上フィルムの下面の少なくともいずれか一方に、所望の像を象った凸部が突設されており、
上フィルムが、非透明であり、
上フィルムの上面側が、硬貨の硬度と同等または硬貨の硬度よりも高い微粒子を含有し且つ耐スクラッチ性を有することを特徴とするコインスクラッチラベル。
【請求項２】
前記上フィルムが、硬貨の硬度と同等または硬貨の硬度よりも高い微粒子を含有する樹脂組成物を製膜した非透明な耐スクラッチ性フィルムで構成されている請求項１に記載のコインスクラッチラベル。
【請求項３】
前記上フィルムが、基材フィルムと、硬貨の硬度と同等または硬貨の硬度よりも高い微粒子を含有する非透明な耐スクラッチ性硬化層と、が積層された積層フィルムで構成され、前記上フィルムの硬化層が上面側となるように下フィルムに積層されている請求項１に記載のコインスクラッチラベル。
【請求項４】
前記下フィルムと上フィルムの周縁部において、上フィルムと下フィルムが接着されている請求項１〜３のいずれかに記載のコインスクラッチラベル。
【発明の詳細な説明】
【技術分野】
【０００１】
本発明は、コインを用いてラベル上面を擦ることにより、所定の像が現れるコインスクラッチラベルに関する。
【背景技術】
【０００２】
従来、懸賞応募用の情報、籤引きなどを目的として、コインスクラッチラベルが用いられている。
コインスクラッチラベルは、通常の状態では、潜在した像が見えず、コインを用いてラベル上面を擦ることにより、所定の像が現れるものである。
該コインスクラッチラベルは、販促キャンペーンなどのため、各種商品に装着される。
【０００３】
この種のコインスクラッチラベルとして、原反フィルムの上に、無色透明インキ組成物による耐スクラッチ性絵柄印刷層を設け、該絵柄印刷層を含む全面に、硬貨の金属よりも硬度が同等または大きい材料を含むインキ組成物による印刷被膜層を設け、該印刷被膜層を硬貨で擦過して、絵柄印刷層の上の印刷被膜層を削り取って絵柄印刷層を露出させると共に削り取られた硬貨の金属により印刷被膜層を着色して、露出した絵柄印刷層と着色した印刷被膜層との濃度差によって画像を顕現させるコインスクラッチラベルが知られている（特許文献１）。
【特許文献１】特開２００３−２３３３１６号公報
【発明の開示】
【発明が解決しようとする課題】
【０００４】
しかしながら、上記従来のコインスクラッチラベルは、印刷被膜層を削り取って絵柄印刷層を露出させるため、印刷被膜層は、容易に削り取ることができるように構成されている。このため、該コインスクラッチラベルラベルを商品に装着し、流通に供すると、印刷被膜層の表面に異物が接触し、印刷被膜層が部分的に削れるという問題点がある。このように流通過程に於いて、印刷被膜層が削れると、絵柄印刷層の一部が露出するので、これを見た消費者が、絵柄印刷層によって表された像を推測できる。かかる印刷被膜層の不用意な削れを防止するため、上記コインスクラッチラベルは、印刷被膜層を容器側（内側）にして、容器に装着しなければならず、ラベルの装着方法が限定される。
また、上記従来のコインスクラッチラベルは、コインで擦った際、印刷被膜層の削り滓が生じる。
【０００５】
本発明の課題は、異物が接触しても隠された像が現れることを防止でき、コインで擦った際に隠された像を現すことができるコインスクラッチラベルを提供することである。
【課題を解決するための手段】
【０００６】
本発明のコインスクラッチラベルは、下フィルムと、下フィルムに重ねられた上フィルムと、を有し、下フィルムの上面または上フィルムの下面の少なくともいずれか一方に、所望の像を象った凸部が突設されており、上フィルムが、非透明であり、上フィルムの上面側が、硬貨の硬度と同等または硬貨の硬度よりも高い微粒子を含有し且つ耐スクラッチ性を有することを特徴とする。
ここで、耐スクラッチ性とは、層をコインで擦った際に、その層が破れない程度の強度を有することを言う。
【０００７】
上記コインスクラッチラベルは、上フィルムの上面側が耐スクラッチ性を有するので、これに異物が接触しても該上フィルムが破れる虞がない。従って、コインスクラッチラベルを装着した商品の流通過程において、コインスクラッチラベルの上面に異物が接触しても、潜在的に設けられた凸部の形状が、外部から視認または推測される虞がない。
一方、上記コインスクラッチラベルの上フィルムの上面をコインで擦ると、コインの金属粒子が削り取られ、その金属粒子が上フィルムの上面に付着する。該コインで擦った際、コインは、凸部と下フィルムの上面の間の段差においては強く接触しない。このため、コインは、凸部の突出頂部に対応する部分と凸部の周囲を除く下フィルムの上面に対応する部分とに強く接触し、該両部分に削り取られた金属粒子が主として付着する。かかる付着した金属粒子の金属色によって、上フィルムの上面に凸部の形状が現れる。
【０００８】
本発明の好ましいコインスクラッチラベルは、上記上フィルムが、硬貨の硬度と同等または硬貨の硬度よりも高い微粒子を含有する樹脂組成物を製膜した非透明な耐スクラッチ性フィルムで構成されている。
【０００９】
かかるコインスクラッチラベルは、上フィルムが、硬貨の硬度と同等または硬貨の硬度よりも高い微粒子を含有する樹脂組成物を製膜した非透明な耐スクラッチ性フィルムで構成されているので、例えば、上フィルムを上記耐スクラッチ性フィルムの１層で構成することができる。
【００１０】
本発明の他の好ましいコインスクラッチラベルは、上記上フィルムが、基材フィルムと、硬貨の硬度と同等または硬貨の硬度よりも高い微粒子を含有する非透明な耐スクラッチ性硬化層と、が積層された積層フィルムで構成され、前記上フィルムの硬化層が上面側となるように下フィルムに積層されている。
【００１１】
かかるコインスクラッチラベルは、上フィルムが、基材フィルムと、硬貨の硬度と同等または硬貨の硬度よりも高い微粒子を含有する非透明な耐スクラッチ性硬化層と、で構成されているので、基材フィルムとして耐スクラッチ性を有しないものを使用することも可能である。
【００１２】
本発明の他の好ましいコインスクラッチラベルは、上記下フィルムと上フィルムの周縁部において、上フィルムと下フィルムが接着されている。
【００１３】
かかるコインスクラッチラベルは、上下フィルムの周縁部が接着されているので、コインで擦った際に、上フィルムが動き難くなり、金属粒子を確実に削る取ることができる。
【発明の効果】
【００１４】
本発明のコインスクラッチラベルは、流通過程において、潜在的に設けられた凸部の形状が外部から視認または推測される虞がなく、コインスクラッチラベルに具備された像を確実に隠蔽することができる。
該コインスクラッチラベルは、コインで擦ることにより、上フィルムの上面に、凸部の形状に対応して金属粒子が付着するので、必要時には、コインスクラッチラベルに具備された像を確実に現すことができる。
【発明を実施するための最良の形態】
【００１５】
以下、本発明について、図面を参照しつつ具体的に説明する。
ただし、本発明において、「上」「下」は、本発明の説明上、便宜的に用いた用語である。「上」とは、商品に装着した際のコインスクラッチラベルを基準にして、商品から離れる側を指し、「下」とは、前記商品に近い側を指す。
図１及び図２に於いて、１は、コインスクラッチラベルを示す。
該コインスクラッチラベル１は、下フィルム２と、下フィルム２の上面側に積層された上フィルム３と、を有し、下フィルム２の上面２ａには、所望の模様を象った凸部５が突設されている。
上フィルム３は、その上面側に硬貨の硬度と同等または硬貨の硬度よりも高い微粒子を含有する非透明な耐スクラッチ性フィルム３１を有する。
【００１６】
上記下フィルム２の材質は、特に限定されず、合成樹脂フィルム、紙、合成紙、発泡樹脂フィルム、不織布などを用いることができる。下フィルム２は、紙と合成樹脂フィルムの積層体、合成樹脂フィルムと不織布の積層体などの各種の積層フィルムを用いることもできる。下フィルム２が合成樹脂フィルムまたは合成樹脂フィルムを含む積層体の場合、該合成樹脂フィルムとしては、例えば、ポリエチレンテレフタレート、ポリ乳酸などのポリエステル系樹脂、ポリスチレンなどのスチレン系樹脂、ポリプロピレン、環状オレフィンなどのオレフィン系樹脂、ポリカーボネート、塩化ビニル系樹脂などの熱可塑性樹脂からから選ばれる１種単独、又は２種以上の混合物などを含むフィルムなどが挙げられる。
【００１７】
下フィルム２は、非透明であることが好ましい。下フィルム２が、透明または半透明であると、下フィルム２の下面側から、凸部５の形状（すなわち、所望の像）を透視でき、コインスクラッチラベル１に潜在された像を隠蔽できないからである。
非透明な下フィルム２としては、紙、合成紙、不織布などが挙げられ、好ましくは紙または合成紙である。また、下フィルム２として合成樹脂フィルムが用いられる場合には、透明または半透明の合成樹脂フィルムの一面（又は両面）全体に、隠蔽性に優れたベタ状印刷を施すことによって得られた、非透明な合成樹脂フィルムが用いられる。
【００１８】
なお、本発明において、「非透明なフィルム」とは、例えば、フィルムの光線透過率が、２５％以下、好ましくは、１５％以下のものが該当する。他方、「透明なフィルム」とは、例えば、フィルムの光線透過率が、８０％以上、好ましくは、９０％以上のものが該当する。「半透明なフィルム」とは、例えば、フィルムの光線透過率が、２５％を超え８０％未満、好ましくは、４０％〜７０％、より好ましくは５０％〜６０％のものが該当する。ただし、上記光線透過率は、ＪＩＳ Ｋ ７３６１に準拠した測定法により、可視光領域における測定値をいう。
【００１９】
下フィルム２の厚みは、特に限定されず、通常、合成樹脂フィルムや合成紙の場合には、３０〜８０μｍ程度のものが用いられ、紙の場合には、目付量５０〜１５０ｇ／ｍ２程度のものが用いられる。
【００２０】
なお、６は、下フィルム２の下面に設けられた貼着層を示す。該貼着層６は、下フィルム２の下面に、例えば、感圧型粘着剤、感熱性粘着剤などを塗工することにより設けられている。該感圧型粘着剤は、室温で粘着性を示すもので、該感圧型粘着剤を用いる場合には、貼着層６は、離型紙（図示せず）に仮貼付される。感熱性粘着剤は、室温で粘着性を示さず、且つ加熱（例えば、８０〜１２０℃程度）されることにより粘着性を発現するものであり、該感熱性粘着剤を用いる場合には、離型紙は省略される。
【００２１】
この下フィルム２の上面２ａには、所望の像を象った凸部５が形成されている。
凸部５は、図２に示すように、所望の像の形状に対応した突起を下フィルムの上面から突出することにより形成されている。
該像（凸部５によって表される上面視形状）は、特に限定されず、数字、アルファベット、ひらがな、カタカナ、漢字、絵柄、記号など、任意である。本発明のコインスクラッチラベル１が、例えば、懸賞応募用に使用される場合には、凸部５によって象られる像は、懸賞応募資格である「アタリ」を意味する文字や、懸賞応募用ＩＤ番号や、懸賞応募点数などが挙げられる。
なお、上記凸部５は、上面側から視た際に、所望の像を認識できる形状に象られている。
【００２２】
凸部５は、下フィルム２の上面２ａに、インキを印刷することにより形成されている。該インキとしては、特に限定されず、例えば紫外線硬化型インキが挙げられる。該紫外線硬化型インキの組成は、印刷方式や要求特性などによっても異なり、特に限定されないが、例えば、光重合性オリゴマー（プレポリマー）や光重合性モノマー（反応希釈剤）などの樹脂成分と、光重合開始剤と、を含む組成物から構成される。また、必要に応じて、各種添加剤、例えば、顔料（着色剤）、増感剤、滑剤等を含有してもよい。顔料を含むインキを用いることにより、所定色に着色された凸部５を形成できる。一方、顔料を含まないインキを用いることにより、透明な凸部５を形成できる。本発明のコインスクラッチラベル１は、凸部５の形状に対応したコインの金属粒子を付着させ、上フィルム３に凸部５の形状の像を現すものであるため、凸部５は、着色されていても、透明（無着色）でも何れでもよい。
好ましくは、凸部５は、透明が好ましい。凸部５が、透明であれば、上下フィルム２，３がどのような色に着色されていても、凸部５が透けて見えにくいからである。
また、凸部５が着色されている場合には、該凸部５は、上フィルム３（及び下フィルム２）と同じ色に着色することが好ましい。例えば、上下フィルム２，３が白色に着色されている場合には、凸部５は、白色に着色されているか、或いは、透明とされていることが好ましい。
【００２３】
上記凸部５を形成する際のインキの印刷法は、従来公知の印刷法を用いることができるが、比較的厚くインキを塗布できることから、フレキソ印刷法やシルク印刷法が好ましい。
凸部５の厚み（突出高さ）は、特に限定されないが、余りに低いと、上フィルム３をコインで擦った際に、上フィルム３に凸部５に対応した像が現れない虞があることから、好ましくは５μｍ以上、より好ましくは１０μｍ以上である。凸部５の厚みの上限は、余りに高く形成しても効果が変わらない一方で、インキによる厚盛りは難しいことから、好ましくは３０μｍ以下、より好ましくは２５μｍ以下である。
凸部５の硬さは、上フィルム３をコインで擦った際に、コインの擦過力によって凸部５が潰れない程度である。具体的には、該凸部５の硬さは、鉛筆硬度２Ｈ以上、好ましくは４Ｈ以上である。
ただし、この鉛筆硬度は、ＪＩＳ Ｋ  ５６００−５−４の鉛筆硬度試験に準じて（荷重７５０ｇ）で測定された値である。
【００２４】
次に、上フィルム３は、非透明であって、少なくとも上フィルム３の上面側に、硬貨の硬度と同等の硬度を有する微粒子または硬貨の硬度よりも高硬度の微粒子を含有し且つ耐スクラッチ性を有するフィルムが用いられる。
上記「耐スクラッチ性」とは、層をコインで擦った際に、その層が破れない程度の強度を有することを言う。
【００２５】
かかる上フィルム３は、非透明な耐スクラッチ性フィルム３１の１層構造からなるものでもよいし、基材フィルムの上面に非透明な耐スクラッチ性フィルム３１が積層されている積層フィルムでもよい。
本実施形態では、上フィルム３は、耐スクラッチ性フィルム３１の１層構造のもの、すなわち、硬貨の硬度と同等または硬貨の硬度よりも高い微粒子（以下、「硬質微粒子」と略記する場合がある）を含有する樹脂組成物を製膜した非透明なフィルムで構成されている。
上フィルム３の色は、非透明であれば特に限定されないが、好ましくは白色である。白色の上フィルム３は、凸部５を良好に隠蔽でき、更に、コインで擦った際に、上フィルム３に付着した金属粒子の金属色を鮮明に現すことができる。
【００２６】
硬質微粒子としては、例えば、モース（Ｍｏｓｅ）硬度６．０〜７．０のルチル型酸化チタン、モース硬度５．５〜６．０のアナタ−ゼ型酸化チタン、モース硬度９．０の酸化アルミニウム（アルミナ）、モース硬度７．０の酸化珪素、モース硬度９．０の酸化クロム、モース硬度３．０の炭酸カルシウム、モース硬度８．７のジルコニアなどが挙げられる。これらは、１種単独で、または２種以上を併用することができる。
なお、硬貨を構成する金属として一般に用いられている金属の硬度は、例えば、鉄の場合、モース硬度４．５、黄銅（Ｃｕ−Ｚｎ）の場合、モース硬度３．０〜４．０、銅の場合、モース硬度３．０、アニミニウムの場合、モース硬度２．９、亜鉛の場合、モース硬度２．５、鉛の場合、モース硬度１．５程度である。上記硬質微粒子は、硬貨を構成する何れの金属よりも硬質である。
ただし、上記モース（Ｍｏｓｅ）硬度とは、１０種の基準鉱物（滑石、石膏、方解石、ホタル石、燐石灰、正長石、石英、黄玉、硬玉、ダイアモンド）との比較による硬度をいい、数値が大きいほど硬い材質である。
【００２７】
上フィルム３は、上記硬質微粒子と、樹脂成分と、を含有する樹脂組成物を製膜した合成樹脂フィルム、合成紙、発泡樹脂フィルムなどから構成されている。このようなフィルムは、コインで擦った際に、破れる虞がなく、耐スクラッチ性を有する。
樹脂成分としては、例えば、ポリエチレンテレフタレートなどのポリエステル系樹脂、ポリスチレンなどのスチレン系樹脂、ポリプロピレンなどのオレフィン系樹脂、ポリカーボネート、塩化ビニル系樹脂などの熱可塑性樹脂からから選ばれる１種単独、又は２種以上の混合物などが挙げられる。
上記上フィルム３は、好ましくは、硬質微粒子と樹脂成分とを含有する樹脂組成物を製膜した合成紙または発泡樹脂フィルムである。合成紙や発泡樹脂フィルムは、内部気泡により、非常に高い非透明性を有するからである。特に、硬質微粒子として、酸化アルミニウム（アルミナ）、酸化チタン、炭酸カルシウムなどから選ばれる少なくとも１種が含まれている合成紙または発泡樹脂フィルムが好ましい。
具体的には、上フィルム２としては、酸化アルミニウム（アルミナ）、酸化チタン、炭酸カルシウムなどから選ばれる少なくとも１種が含まれた、ポリエチレンテレフタレート製の合成紙またはポリプロピレン製の合成紙が好ましい。このような合成紙は、白色を呈する。ポリエチレンテレフタレート製の合成紙としては、東洋紡績（株）製のクリスパー（商品名）などが挙げられる。ポリプロピレン製の合成紙としては、（株）ユポ・コーポレーションのユポ（商品名）などが挙げられる。
【００２８】
上記硬質微粒子の含有量は、樹脂固形分１００質量部に対し、５〜６０質量部程度、好ましくは１０〜５０質量部、より好ましくは１０〜３０質量部である。上フィルム３の耐スクラッチ性を維持しつつ、コインを削り取るためである。
上フィルム３の厚みは、特に限定されないが、余りに薄いと耐スクラッチ性を十分に有さないことから、２０μｍ以上が好ましい。一方、上フィルム３の厚みは、余りに厚いとコインで擦った際に、凸部５の突出頂部に対応して金属粒子が付着しない虞があることから、好ましくは１００μｍ以下、より好ましくは８０μｍ以下である。
【００２９】
上記下フィルム２及び上フィルム３は、所定形状（例えば、上面視矩形状など）に形成されている。該下フィルム２の上面に、上フィルム３を重ね合わせ、上下フィルム２，３の周縁部７を接着することにより、コインスクラッチラベル１が構成されている。従って、上下フィルム２，３の層間は、周縁部７において接着され、且つ凸部５が形成された範囲において上下フィルム２，３は非接着（重ねられているだけ）である。
上記周縁部７の接着幅は、特に限定されず、通常、３ｍｍ〜１０ｍｍ程度である。上下フィルム２，３の周縁部７は、各種接着剤を介して接着されている。なお、上フィルム３の下面と下フィルム２の上面が、溶剤によって接着可能である場合には、前記周縁部７は溶剤によって溶着されていてもよい。また、上フィルム３の下面と下フィルム２の上面にそれぞれシーラント層（例えば、ポリエチレン層など）が積層されている場合には、前記周縁部７は熱溶着されていてもよい。
なお、図１において、７ａは、上下フィルム２，３の周縁部７に於ける非接着部分を示す。該非接着部分７ａは、上下フィルム２，３を接着する際の空気抜き通路として機能する。該非接着部分７ａは、２ヶ所以上設けることもできる。
【００３０】
上記構成からなるコインスクラッチラベル１は、貼着層６を介して、商品に貼り付けられる。
上記コインスクラッチラベル１は、上フィルム３が耐スクラッチ性フィルム３１からなるので、異物が接触しても上フィルム３が破れる虞がない。従って、上記商品の流通過程において、コインスクラッチラベル１（上フィルム３）の上面に異物が接触しても、下フィルム２の上面２ａに潜在的に設けられた凸部５の形状が、外部から視認または推測される虞がない。
【００３１】
上記コインスクラッチラベル１の貼付された商品を購入した消費者が、上フィルム３の上面をコインで擦ることにより、硬質微粒子によってコインの金属粒子が削り取られ、その金属粒子が上フィルム３の上面に付着する。
上フィルム３をコインで擦った際、コインは、凸部５と下フィルム２の上面２ａの間の段差においては強く接触しないため、コインは、凸部５の突出頂部に対応する上フィルム３の部分と、凸部５の周囲を除く下フィルム２の上面に対応する上フィルム３の部分と、に強く接触する。このようにコインが強く接触した部分において、コインが主として削り取られ、金属粒子が付着する。かかる付着した金属粒子の金属色によって、上フィルム３の上面に凸部５の形状が現れる（図３参照）。
なお、図３において、上フィルムの上面に付着する金属粒子によって現れる金属色を薄墨塗りで表している。
また、本発明のコインスクラッチラベル１は、コインで擦った際に、削り滓を生じないので、衛生上においても好ましいものである。
【００３２】
次に、本発明のコインスクラッチラベルの変形例を示す。
ただし、下記各変形例の説明について、主として、上記実施形態と異なる部分について説明する。そして、上記実施形態と同様の構成及び効果については、その説明を省略し、上記実施形態で用いた用語及び符号をそのまま援用する場合がある。
【００３３】
上記実施形態では、上フィルム３は、硬質微粒子を含む耐スクラッチ性フィルム３１から構成されているが、上フィルム３は、例えば、２層以上の積層体で構成されていてもよい。
このような積層体としては、例えば、図４（ａ）に示すように、基材フィルム３２の上面に、上記実施形態で例示した耐スクラッチ性フィルム３１が積層された積層フィルム３’や、図４（ｂ）に示すように、基材フィルム３２の上面に、硬質微粒子を含有する耐スクラッチ性硬化層３３が積層された積層フィルム３”、などが挙げられる。
上記積層フィルム３’，３”の基材フィルム３２は、特に限定されず、合成樹脂フィルム、紙、合成紙などが挙げられる。該基材フィルム３２は、透明（半透明を含む）または非透明の何れでも良い。該基材フィルム３２が、透明（半透明を含む）である場合には、積層フィルム３’の耐スクラッチ性フィルム３１や、積層フィルム３”の硬化層３３は、非透明とされる。基材フィルム３２が、非透明なフィルムである場合には、積層フィルム３’の耐スクラッチ性フィルム３１や、積層フィルム３”の硬化層３３は、透明（半透明を含む）または非透明の何れでもよい。
【００３４】
上記積層フィルム３’は、基材フィルム３２と、上記実施形態で例示した耐スクラッチ性フィルム３１と、をドライラミネート法などの公知の積層法にて接着することにより、得ることができる。該積層フィルム３’からなる上フィルム３は、耐スクラッチ性フィルム３１を上面側にして、下フィルム２に重ね合わされる。
【００３５】
上記積層フィルム３”は、基材フィルム３２の上面に、硬質微粒子を含む樹脂組成物の液状物を、ベタ状に塗工し、これを硬化させて硬化層３３を形成することにより、得ることができる。塗工法は、特に限定されず、各種印刷法の他、コーターを用いた塗工でもよい。
該樹脂組成物中の硬質微粒子の含有量は、樹脂固形分１００質量部に対し、１〜６０質量部程度、好ましくは１０〜５０質量部、より好ましくは１０〜３０質量部である。硬化層３３の耐スクラッチ性を維持しつつ、コインを削り取るためである。
上記樹脂組成物中の樹脂成分としては、例えば、紫外線硬化型インキに使用されている樹脂成分を用いることができる。かかる樹脂成分は、紫外線照射により重合し、耐スクラッチ性を有する硬化層３３を形成できる。このようにして得られた硬質微粒子を含有する耐スクラッチ性硬化層３３の硬度は、鉛筆硬度２Ｈ以上、好ましくは４Ｈ以上である。
ただし、該鉛筆硬度は、上記と同様の方法で測定された値である。
該積層フィルム３”からなる上フィルム３は、硬質微粒子を含む耐スクラッチ性硬化層３３を上面側にして、下フィルム２に重ね合わされる。
【００３６】
さらに、上記実施形態では、所望の像を象った凸部５は、所望の像の形状に対応した突起を突出することにより形成されているが、例えば、図５に示すように、下フィルム２の上面２ａに突設された凸部５の一部分に、所望の像の形状に対応した凹み部５１を形成することにより、所望の像が象られていてもよい。この場合、凸部５で囲われる部分（凹み部５１）に、所望の像が象られる。
なお、該凹み部５１の深さは、好ましくは５μｍ以上、より好ましくは１０μｍ以上である。また、凹み部５１の深さの上限は、特に限定されないが、好ましくは３０μｍ以下、より好ましくは２５μｍ以下である。
上記凹み部５１を有する凸部５が形成されたコインスクラッチラベルは、上フィルム３をコインで擦った際、凸部５の突出頂部に対応する上フィルム３に金属粒子が付着し、且つ凹み部５１に対応する上フィルム３に金属粒子が付着し難く、従って、上フィルム３の上面に、該凸部５で囲われる部分（凹み部５１）の形状が現れる。従って、所望の像が、上フィルム３の上面に現れる。
【００３７】
また、上記実施形態では、下フィルム２の上面２ａに、所望の像を象った凸部５が突設されている（凸部５が上フィルム３側に向けて突設されている）が、例えば、図６に示すように、上フィルム３の下面３ｂに、前記凸部５が突設されていてもよい。
また、特に図示しないが、下フィルム２の上面２ａ及び上フィルム３の下面３ｂのぞれぞれに、上記凸部５が突設されていてもよい。この場合、下フィルム２に形成される凸部５と、上フィルム３に形成される凸部５は、互いに対向しない位置に設けることが好ましい。
【００３８】
上記実施形態において、下フィルム２と上フィルム３は、略同形同大に形成されているが、下フィルム２と上フィルム３は、形状及び／又は大きさが異なっていてもよい。上下フィルム２，３は、凸部５を隠蔽するように重ね合わせていればよく、その形状は上記実施形態に限定されるもではない。
【００３９】
また、上記実施形態のコインスクラッチラベル１は、下フィルム２の下面に設けられた貼着層６を介して商品に貼付される、いわゆるタックラベルの態様での使用を例示したが、本発明のコインスクラッチラベル１は、商品に貼付して使用される態様に限られない。
例えば、上記コインスクラッチラベル１を筒状に成形することにより、例えばボトル型容器の首部に引掛ける態様（いわゆる首掛けラベル）で使用することもできる。
また、上記上フィルム２及び下フィルム３として、一方向（例えば幅方向）に熱収縮性を有するものを用い、且つ上記コインスクラッチラベル１を筒状に成形することにより、例えばボトル型容器の胴部に熱収縮装着する態様（いわゆる熱収縮性筒状ラベル（筒状シュリンクとも言う））で使用することもできる。
さらに、上記コインスクラッチラベル１は、例えば容器の胴部に巻き付けて装着する態様（いわゆる巻付けラベル）で使用することもできる。
【図面の簡単な説明】
【００４０】
【図１】コインスクラッチラベルを上面側から視た平面図。周縁部に於ける接着部及び凸部の形成部分を判り易く図示するため、前記接着部及び凸部の形成部分を、便宜上、網掛けで示している。
【図２】図１のI−I線で切断した断面図。
【図３】コインで擦り、削り取られた金属粒子によって上フィルムに金属色が現れた状態を示す平面図。但し、周縁部に於ける接着部を、網掛けで示し、金属色が現れる大まかな範囲を、薄墨塗りで示している。
【図４】（ａ）、（ｂ）ともに、変形例のコインスクラッチラベルを、図２と同じ方向で切断した断面図。
【図５】変形例のコインスクラッチラベルを、図２と同じ方向で切断した断面図。
【図６】変形例のコインスクラッチラベルを、図２と同じ方向で切断した断面図。
【符号の説明】
【００４１】
１…コインスクラッチラベル、２…下フィルム、２ａ…下フィルムの上面、３…上フィルム、３ｂ…上フィルムの下面、５…凸部、６…貼着層、７…周縁接着部
【図１】
2008298931.tif 000003
【図２】
2008298931.tif 000004
【図３】
2008298931.tif 000005
【図４】
2008298931.tif 000006
【図５】
2008298931.tif 000007
【図６】
2008298931.tif 000008